(57)【要約】【課題】操作部或いは使用時に手指等の触れる可能性のある部位の低温化を図るとともに、手入れの良好なガスコンロを実現すること。【解決手段】ガラス天板３には少なくとも２つのバーナ４ａ、４ｂ、４ｃを配置し、排気蓋には排気口と換気口に挟まれる位置に１つのバーナ４ｃを配置し、かつガラス天板３の裏面側にバーナの開口部３ａ、３ｂ、１５とケース２１とを連通する通風路２５〜２８を形成したものである。通風路２５〜２８がガラス天板の冷却作用を行うのである。【選択図】図５
2008089229.tif 000002
【特許請求の範囲】
【請求項１】
ガラス天板、前記ガラス天板を下方から支承する天板保護部材、前記ガラス天板および天板保護部材の周囲を囲んだ金属製枠体で一体化した天板部分と、前記天板部分に設けた開口に臨む複数のバーナと、前記バーナの下方に位置し、バーナを内蔵したグリル部と、前記グリル部に連通した排気口および前記排気口と並設し、器具内の換気を行う換気口を一体的に形成し、かつバーナの開口を有し、前記ガラス天板と一体的に組み込まれ、周囲を前記金属製枠体で囲まれた排気蓋と、前記各バーナへのガスの供給と遮断を行うと共に弁駆動手段を介してガス流量を制御するガス流量制御装置と、前記ガス流量制御装置に駆動信号を供給する制御手段と、前記制御手段に所定の操作信号を入力指示する操作部及び前記バーナの作動状態を表示する表示部とを備え、前記ガス流量制御装置、制御手段、操作部、表示部を前記天板部分の下方に設けたケースに収納し、前記操作部の操作面および前記表示部の表示面を前記ガラス天板上に臨ませたものにあって、前記天板部分には少なくとも２つのバーナを配置し、前記排気蓋には前記排気口と換気口に挟まれる位置に１つのバーナを配置し、かつ前記ガラス天板の裏面側に天板冷却用の通風路を形成したガス調理器。
【請求項２】
天板保護部材に段押し部を設けて天板冷却用の通風路を形成し、前記通風路より供給される空気の一部をバーナの燃焼用二次空気とし、一部を天板冷却用とした請求項１記載のガス調理器。
【請求項３】
通風路は、異なる位置に配設されたバーナの外周のガラス天板に冷却用空気の供給を可能とした請求項１または２記載のガス調理器。
【請求項４】
通風路へ空気を送る送風機を備え、前記送風機は制御手段の駆動信号に連動して動作を行い、強制的に冷却用空気を供給するようにした請求項１〜３のいずれか１項記載のガス調理器。
【請求項５】
送風機は、ガス流量制御装置の流量制御信号に応じて制御され、ガス流量が大きくなるに伴って冷却用空気を増大させるようにした請求項４記載のガス調理器。
【発明の詳細な説明】
【技術分野】
【０００１】
本発明は、ガスを燃料とするバーナを加熱源としたガス調理器にあって、特に、天板に操作・表示部を設け天面操作としたコンパクトなガス調理器における冷却構成に関するものである。
【背景技術】
【０００２】
従来のガス調理器は、一般に加熱手段となるバーナを天板上面に複数個配置するとともに、下方にグリル室を設けて該グリル室からの排気を前記天板上面に配置したバーナの後方に設けた排気口より排出するように構成され、前記バーナの点火−消火（以下ＯＮ−ＯＦＦという）および火力調節は、器具本体であるコンロ本体の略垂直な前側面に設けた操作部で行っている。
【０００３】
しかし、近年、操作性を改善する目的で操作部をコンロ本体の天板上面に設けたものが考案されている。
【０００４】
この操作部をコンロ本体の天板上に設けたものにあっては、特許文献１に示すように、システムキッチンのカウンタートップに開設された開口部の周縁に加熱手段を設けたコンロ器体を吊持させ、該コンロ器体を覆う天板をカウンタートップに載置したビルトインコンロにおいて、該天板の左右方向一側がコンロ器体の左右方向位置から横方向に張り出すように天板の横幅をコンロ器体より幅広に形成し、該張り出した部分にコンロ器体に設けた加熱手段の作動を操作する操作部を設けるように構成したものがあるが、この構成においても、奥行き方向は複数のバーナ設置領域と排気部設置領域を明確に区画して配置するものであった（例えば、特許文献１参照）。
【０００５】
また、従来、この種のガスコンロ１０１には図６に示すように、ガスコンロ１０１の天板１０２の上面における周辺前部に、３個のバーナ１０３の点火−消火および火力調節を行う操作部１０４を備え、バーナ１０３と前記操作部１０４の間の天板１０２上に通気孔１０５を設け、さらに通気孔１０５を覆って天板１０２上に中空の遮蔽壁１０６を設けたものがある。
【０００６】
この構成により、遮蔽壁１０６が前記バーナ１０３の火炎からの熱気を遮り、通気孔１０５の働きと相俟って、さらに操作部１０４の温度の低減を図り、操作時の安全性、操作性を高める構成としている。
【０００７】
また、天板１０２をガラスまたはセラミック製にすることで、ガスコンロ１０１の外観を高めるとともに、天板１０２に付着した煮こぼれ汁などを容易に除去でき、天板１０２を汚れ等の付着のない状態に保ち維持できやすく、ガスコンロ１０１の商品価値を高めることができる（例えば、特許文献２参照）。
【０００８】
また、バーナ１０３の周部の温度を下げて課題を解決する手段として図７に示すように、ガラスもしくはセラミック製の天板１０２の開口部から突出したバーナ１０３の周部の天板１０２部分に、熱反射率の高い熱反射材１０７を薄板に形成して接着することにより、バーナ１０３からの熱を反射させ、天板１０２の温度上昇を抑制することができる。
【０００９】
この構成により、天板１０２自体に高価な結晶化ガラスや耐熱ガラスや耐熱セラミックを使用しなくてもよく、強化ガラス等を使用することでコストを低減することもできるとしている（例えば、特許文献３参照）。
【特許文献１】特開２００２−８９８５４号公報
【特許文献２】特開２００５−２４１０２９号公報
【特許文献３】特開平１０−１９２７５号公報
【発明の開示】
【発明が解決しようとする課題】
【００１０】
しかしながら、上記従来の略垂直な前側面に操作部を設けた構成おいては、コンロ本体の前側面の操作部でバーナのＯＮ−ＯＦＦおよび火力調節を行う場合、バーナ及び排気部の配置構成は、天板全面を利用して行うことができるため、余裕を持ってバーナ設置場所を確保することができるが、反面、その操作部が通常、腰の高さにあり、身体を折り曲げる、または屈み込む等の不自然な姿勢を強いられ、操作がし難いのと操作の結果を見て確認する視認性が悪かった。
【００１１】
また、操作部をコンロ本体の天板上に設けた構成では、操作性及び視認性の改善は図れるものの、操作部の配設位置として、天板の左右方向一側がコンロ器体の左右方向位置から横方向に張り出すように天板の横幅をコンロ器体より幅広に形成し、該張り出した部分に配設するようにしている。
【００１２】
そのため、システムキッチンのカウンタートップにおけるコンロ本体の天板面が拡大した状態で占有することになり、調理スペースが狭くなるという課題を有し、また、操作部が横方向にあるため、大きな鍋を載置して調理しているときに操作を行う場合などはかえって操作性が悪くなるという課題を有していた。さらに、買い替えて交換する場合など、天板の大きさが従来品と異なることになり、横方向に設置スペースが確保できない場合は買い換え交換ができないという課題も有していた。
【００１３】
また、従来の天面操作における冷却構成においては、操作部とバーナの間に遮蔽壁を設けてバーナからの輻射熱を遮蔽しても、天板がバーナの輻射熱あるいは伝導熱で加熱されてバーナ近傍の天板が高温状態となるため、天板内での熱伝導により操作部近傍の天板が高温状態となる。このため、操作部を操作する際に天板に手等が接触すると火傷等をする危険性があり、また天板が高温になって煮汁等が天板に焦げ付き掃除ができない等の課題がある。
【００１４】
また、バーナの近傍の天板上面あるいは裏面部分には、アルミニウムあるいはステンレス材質の環状に加工された薄板状の熱反射材が付設されるか、環状に耐熱塗料が塗布されている。天板は無色透明な結晶化ガラス等で構成された場合には、熱反射材がガラスの裏面に設けられたならば熱反射材の光沢或いは熱反射材の色調等がガラス表面から視認でき、天板をガラスで構成する目的は、ガスコンロのデザイン性の向上を目的にしている観点からすると、天板のデザイン性が損なわれるという課題がある。また、天板上面に熱反射材を設けた場合にも同様な課題が生じる。
【００１５】
一方、デザイン性を追及してのガラス上面に他の色調の塗膜等を設けると天板の温度を下げるために設けた熱反射材が他の色調の塗膜で反射率が変化して、当初の温度を下げる目的が得られなくなる。
【００１６】
また、天板にバーナを設ける開口を設けて、開口にバーナを設ける構成では、天板の表面が遮蔽壁を突出すると、天板にフラット感を得る構成のデザイン性を訴求した際に目的を達成できない。また、天板をガラスで構成する際に遮蔽壁を一体で構成するとなると、天板は金型成型になるので、天板を平ガラスで構成するのに比較して非常に高価な物になる。
【００１７】
また、天板をガラスで構成し、遮蔽壁を金属等の別体で構成し、操作部の操作をタッチ操作可能にするためにガラスで構成すると、各部位の繋ぎ合わせ構成が複雑になるので、同様に高価なガスコンロの提供になる。また、必然的にデザイン性が損なわれるという課題がある。また、各部位の繋ぎ合わせ部に生じる物作り上の多少の隙間等に煮汁等が浸入し固形化することで掃除できなくなるので、掃除性が極端に悪くなり清潔感が得にくいガスコンロの提供になる課題もあった。
【００１８】
上記従来の課題に鑑み、本発明が解決しようとする課題は、楽な姿勢で操作を行え、かつ視認性のよい操作部、表示部を備えるとともに、天板を大きくすることなく、操作部、表示部及び加熱手段を配置し、使い勝手と安全性を両立させ、さらに簡単な構成で天板の冷却が実現可能なガス調理器を提供することにある。
【課題を解決するための手段】
【００１９】
上記課題を達成するために本発明のガス調理器は、ガラス天板、前記ガラス天板を下方から支承する天板保護部材、前記ガラス天板および天板保護部材の周囲を囲んだ金属製枠体で一体化した天板部分と、前記天板部分に設けた開口に臨む複数のバーナと、前記バーナの下方に位置し、バーナを内蔵したグリル部と、前記グリル部に連通した排気口および前記排気口と並設し、器具内の換気を行う換気口を一体的に形成し、かつバーナの開口を有し、前記ガラス天板と一体的に組み込まれ、周囲を前記金属製枠体で囲まれた排気蓋と、前記各バーナへのガスの供給と遮断を行うと共に弁駆動手段を介してガス流量を制御するガス流量制御装置と、前記ガス流量制御装置に駆動信号を供給する制御手段と、前記制御手段に所定の操作信号を入力指示する操作部及び前記バーナの作動状態を表示する表示部とを備え、前記ガス流量制御装置、制御手段、操作部、表示部を前記天板部分の下方に設けたケースに収納し、前記操作部の操作面および前記表示部の表示面を前記ガラス天板上に臨ませたものにあって、前記天板部分には少なくとも２つのバーナを配置し、前記排気蓋には前記排気口と換気口に挟まれる位置に１つのバーナを配置し、かつ前記ガラス天板裏面側に天板冷却用の通風路を形成したものである。
【００２０】
上記発明によれば、バーナへのガスの供給と遮断を行うガス流量制御装置を電気信号で駆動する弁駆動手段を用いて構成することで、操作信号を入力する操作部や表示部は前記ガス流量制御装置やその制御手段の設置位置に左右されることなく独立して自由な位置に設置することができ、バーナの火炎による熱的影響、操作性、視認性等を考慮し、天板上の温度的に設置可能なバーナの熱影響が少ない天板の上面手前側に配置することが可能になり、操作性、視認性を向上することができる。
【００２１】
また、器具上面の手前側に操作部、表示部及びバーナを配置するガラス天板を設け、その後方側に排気口及び換気口を設けた排気蓋を配置し、その排気蓋に排気口と換気口に挟まれるように１つのバーナを設ける構成としているため、複数のバーナの設置領域を全体的に後方側に移動させることができ、天板の大きさを変えることなく、ガラス天板の手前側に操作部や表示部を配設するスペースを確保することができる。
【００２２】
さらに、ガラス天板裏面側に通風路を形成しているため、空気の供給過程で天板裏面を介して天板面の冷却を行うことができ、器具使用時の燃焼によるガラス天板の温度上昇を抑制し、使い勝手のよいガス調理器を提供できる。
【発明の効果】
【００２３】
本発明のガス調理器は、バーナ設置面と同一の天板面に操作部および表示部を設けることができるため、手入れ性、デザイン性、操作性を飛躍的に向上させることができると共に、少なくとも３つのバーナを天板面を大きくすることなく配設することができ、かつ天板裏面のスペースを有効に活用して天板面の冷却効果を活用することができ、安全性を確
保したガス調理器を実現することができる。
【発明を実施するための最良の形態】
【００２４】
第１の発明は、ガラス天板、前記ガラス天板を下方から支承する天板保護部材、前記ガラス天板および天板保護部材の周囲を挟んだ金属製枠体で一体化した天板部分と、前記天板部分に設けた開口に臨む複数のバーナと、前記バーナの下方に位置し、バーナを内蔵したグリル部と、前記グリル部に連通した排気口および前記排気口と並設し、器具内の換気を行う換気口を一体的に形成し、かつバーナの開口を有し、前記ガラス天板と一体的に組み込まれ、周囲を前記金属製枠体で囲まれた排気蓋と、前記各バーナへのガスの供給と遮断を行うと共に弁駆動手段を介してガス流量を制御するガス流量制御装置と、前記ガス流量制御装置に駆動信号を供給する制御手段と、前記制御手段に所定の操作信号を入力指示する操作部及び前記バーナの作動状態を表示する表示部とを備え、前記ガス流量制御装置、制御手段、操作部、表示部を前記天板部分の下方に設けたケースに収納し、前記操作部の操作面および前記表示部の表示面を前記ガラス天板上に臨ませたものにあって、前記天板部分には少なくとも２つのバーナを配置し、前記排気蓋には前記排気口と換気口に挟まれる位置に１つのバーナを配置し、かつ前記ガラス天板裏面側に天板冷却用の通風路を形成したことを特徴とするものである。
【００２５】
そして、バーナへのガスの供給と遮断を行うガス流量制御装置を電気信号で駆動する弁駆動手段を用いて構成することで、操作信号を入力する操作部や表示部は前記ガス流量制御装置やその制御手段の設置位置に左右されることなく独立して自由な位置に設置することができ、バーナの火炎による熱的影響、操作性、視認性等を考慮し、天板上の温度的に設置可能なバーナの熱影響が少ない天板の上面手前側に配置することが可能になり、操作性、視認性を向上することができる。
【００２６】
また、器具上面の手前側に操作部、表示部及びバーナの一部を配置するガラス天板を設け、その後方側に排気口及び換気口を設けた排気蓋を配置し、その排気蓋に排気口と換気口に挟まれるように１つのバーナを設ける構成としているため、複数のバーナの設置領域を全体的に後方側に移動させることができ、天板の大きさを変えることなく、ガラス天板の手前側に操作部や表示部を配設するスペースを確保することができる。
【００２７】
さらに、天板裏面側に天板冷却用の通風路を形成しているため、空気の供給過程で天板裏面を介して天板面の冷却を行うことができ、器具使用時の燃焼によるガラス天板の温度上昇を抑制し、使い勝手のよいガス調理器を提供できる。
【００２８】
第２の発明は、特に、第１の発明の天板保護部材に段押し部を設けて天板冷却用の通風路を形成し、前記通風路より供給される空気の一部をバーナの燃焼用二次空気とし、一部を天板冷却用としたことを特徴とするものである。
【００２９】
そして、天板保護部材に段押し加工を施すだけの簡単な構成で任意の場所に通通風路を形成することが可能となり、バーナの配設位置に捉われることなく、ケースとの連通構成を確保することができる。
【００３０】
第３の発明は、特に、第１の発明または第２の発明の通風路を、異なる位置に配設されたバーナの外周のガラス天板に冷却用空気の供給を可能としたことを特徴とするものである。
【００３１】
そして、バーナの配設位置に捉われることなく、全てのバーナの外周のガラス天板に略均一に冷却用空気を供給することができる。
【００３２】
第４の発明は、第１〜第３のいずれか１つの発明の通風路へ空気を送る送風機を備え、前記送風機は制御手段の駆動信号に連動して動作を行い、強制的に冷却用空気を供給するようにしたことを特徴とするものである。
【００３３】
そして、送風機で強制的に新鮮空気を供給することで、より冷却効果を高めることができるとともに、バーナの燃焼動作に連動して効果的に冷却用空気の供給動作を行うことができる。
【００３４】
第５の発明は、特に、第４の発明の送風機は、ガス流量制御装置の流量制御信号に応じて制御され、ガス流量が大きくなるに伴って冷却用空気を増大させるようにしたことを特徴とするものである。
【００３５】
そして、バーナのガス消費量の多少で空気量の増減を可能にしているから、ガス消費量が多い時、すなわち、燃焼量が大きい場合には天板が加熱される度合いも大きい状態であるから冷却空気量も多く供給することで天板の温度を下げ、ガス消費量が少ない時は、天板の加熱量も少ないので冷却空気量も少なくて温度降下ができるのである。
【００３６】
従って、各バーナのガス消費量に合った最適な送風機の運転ができるので無駄のない運転状態が達成でき、必要な量のみを供給したことにより全部分に供給するのに比して送風機の消費電力も少なくてすみ省エネルギー効果が得られるとともに、天板の低温化による効果が得られる。
【００３７】
以下、本発明の実施の形態について図面を参照しながら説明する。なお、本実施の形態によって本発明が限定されるものではない。
【００３８】
（実施の形態１）
図１は、本発明の実施の形態１におけるガス調理器の使用形態を示す図、図２は同ガス調理器の断面図、図３は同ガス調理器の操作表示部及びバーナ配設構成を示す上面図、図４は同ガス調理器の天板部を構成する分解斜視図である。
【００３９】
図において、本実施の形態におけるガス調理器である器具１は流し台のカウンタートップ２に嵌めこまれ、上面側にはガラス体で構成された天板３に設けられたバーナの装着口である開口３ａ，３ｂに臨むように複数のバーナ４ａ，４ｂが配設されている。また、バーナ４ａ，４ｂの下方にはグリル部５が設けられ、前面側に設けられたグリル扉５ａを開閉することで焼き物等の調理ができるようになっている。
【００４０】
グリル扉５ａと同一面には、グリル部５のバーナ（図示せず）の燃焼動作を指示する操作部６が設けられ、この操作部６内には器具の運転／停止を指示する運転スイッチ７が配設されている。また、グリル部５の燃焼動作により発生した燃焼ガスは、排気通路（図示せず）を経由して器具１上面の後方側に設けられ、グリル部５に通じる排気口１０より排出される。
【００４１】
この排気口１０には、スリット状の開口を複数設け排気ガスを均一に排出するための排気口カバー１１が載置されている。さらに、器具１上面には排気口１０に並設して器具１内の換気を行うための換気口１２が設けられ、この上部には異物侵入防止のために換気口カバー１２が載置されている。そして、排気口１０と換気口１２は、板金で成形された排気蓋１４で一体的に構成されており、ガラス天板３の後方端面と接合し、かつガラス天板３と同一面を成すように器具１上面の後方に配置されている。
【００４２】
また、排気蓋１４には、略中間部に排気口１０と換気口１２に挟まれるようにコンロバ
ーナ４ｃを装着するための開口１５が設けられ、この開口１５の周囲には五徳１６を載置するための段押し部１７が設けられている。この開口１５にコンロバーナ４ｃを設置し、段押し部１７に五徳１６を載置して３つ目のコンロ部を構成している。また、段押し部１７は排気蓋１４の強度を高める作用も有している。
【００４３】
このように、ガラス天板３上の左右に２つのコンロバーナ４ａ，４ｂを配置し、その上部に五徳１６を載置して大カロリー用のコンロ部を構成すると共に、その略中間部の後方側にガラス天板３の設置領域と排気口１０の設置領域１４ａを跨ぐようにコンロバーナ４ａ，４ｂよりも小カロリーのコンロバーナ４ｃを配置し、その上部に五徳１６を載置して小カロリー用のコンロ部を構成している。
【００４４】
また、ガラス天板３の手前側には、バーナ４としてのバーナ４ａ，４ｂ，４ｃに対応して、操作部８としての操作部８ａ，８ｂ，８ｃと表示部９としての表示部９ａ，９ｂ，９ｃが設けられており、操作部８は天板３を構成するガラス体に接触するだけで作用する静電スイッチで構成し、表示部９は液晶表示器を用いてバーナ４の動作状態を表示するようにしている。
【００４５】
そして、操作部８と表示部９は操作ケース２１に収納され、バーナ４からの輻射熱による影響を低減し、上面側はガラス天板３で覆われることで、バーナ４の火炎による熱的影響を軽減している。さらに、バーナ４の下方には燃料であるガスを供給するためのガス弁や流量調節弁で構成されたガス供給部２３が配設され、このガス供給部２３の動作を制御するための制御部２２が設けられている。
【００４６】
そして、ガス供給部２３は操作部８からの操作信号に基づいて制御部２２から出力される所定の駆動信号により閉止及びガス流量を制御し、火力調節を行うようになっている。このように、電気的信号を用いてバーナ４に供給するガス流量を任意に変更できる構成としたことで、ガス供給部２３を任意の場所に設置することが可能となり、操作部８の設置場所も制約を受けることがなくなる。よって、ガラス天板３の面に静電スイッチ等を用いて構成することが可能となり、操作性及び掃除性の優れた操作部構成を実現することができる。
【００４７】
ここで、同一面に接合するガラス天板３と排気蓋１４を、下側の天板保護部材１８と上側の天板部２０で挟み込んで周囲を金属製枠体１９で囲んで形成する天板部分について説明する。コンロバーナ４ａ，４ｂの装着口３ａ，３ｂ及び操作部８，表示部９の設置面を有したガラス天板３は、その後方端略中間部に、排気蓋１４のコンロバーナ４ｃの装着口１５の一部である略半円状部を逃げるため、略半円状の切り欠き部１５ａを有した形状となっている。
【００４８】
そして、このガラス天板３はその下方を覆うように設けた金属製の天板保護部材１８に載置する。天板保護部材１８は、コンロバーナ４ａ，４ｂの装着口３ａ，３ｂ及び操作部８，表示部９の設置面及び排気蓋１４に形成されたコンロバーナ４ｃの装着口１５，この装着口１５を真ん中にして位置する排気口１０、換気口１２に対応する位置にそれぞれ開口孔１８ａ，１８ｂ，１８ｃ，１８ｄ，１８ｅ，１８ｆが設けられている。これらの孔位置に対応するようにガラス天板３を載置する。
【００４９】
そして、天板保護部材１８に載置したガラス天板３の後方に、排気蓋１４を同様に天板保護部材１８の開口孔１８ｅ、１８ｄ、１８ｆに位置を合わせて載置し、かつ装着口１５をガラス天板３の切り欠き部１５ａに接合するとともに互いに後と前の端面を接合し、排気蓋１４と天板保護部材１８をビス等で締結する。
【００５０】
このとき、ガラス天板３と排気蓋１４の接合部において、ガラス天板３の端面を覆うように排気蓋１４を接合し、ガラス天板３の位置決めを行うようにしている。そして、天板保護部材１８とでガラス天板３及び排気蓋１４を、接合したガラス天板３と排気蓋１４と同様の形状に成形した天板部２０が上側から覆い、これらの周囲を、断面が略コの字状に成形した金属製枠体１９で挟み込むことにより、ガラス天板３と排気蓋１４を一体化して天板部分を構成することができる。
【００５１】
この天板部分の構成により、バーナ４の設置領域を全体的に器具１の後方側に移動することができるため、器具１の前方側に操作部８及び表示部９を設置するためのスペースを確保することができ、ガス調理器のように器具１の上面側で裸火による燃焼部を有する機器において、操作性を向上させる目的で操作部を器具上面に設置するための有効な構成を提供することができる。
【００５２】
以上のように本実施の形態においては、バーナ４へのガスの供給と遮断を行うガス供給部２３を電気信号で駆動する弁駆動手段を用いて構成することで、操作信号を入力する操作部８や表示部９は前記ガス供給部２３やその制御手段２２の設置位置に左右されることなく独立して自由な位置に設置することができ、バーナ４の火炎による熱的影響、操作性、視認性等を考慮し、天板３上の温度的に設置可能なバーナの熱影響が少ないガラス天板３の上面手前側に配置することが可能になり、操作性、視認性、掃除性を向上することができる。
【００５３】
また、器具１上面の手前側に操作部８、表示部９及びコンロバーナ４の一部を配置するガラス天板３を設け、その後方側に排気口１０及び換気口１２を設けた排気蓋１４を配置し、その排気蓋１４にコンロバーナ４ｃを装着する開口１５を設け、排気口１０と換気口１２に挟まれるように１つのコンロバーナ４ｃを設ける構成としているため、複数のバーナ４ａ，４ｂ，４ｃの設置領域を全体的に後方側に移動させることができ、天板３の大きさを変えることなく、ガラス天板３の手前側に操作部８や表示部９を配設するスペースを確保することができる。
【００５４】
また、排気蓋１４を天板保護部材１８に締結することでガラス天板３を挟み込むように支持し、排気蓋１４の固定を兼ねてガラス天板３を挟み込んで支持することができるため、ガラス天板３の端面補強を確保しつつ、デザイン性を高めるための構成の簡素化を図ることができる。
【００５５】
また、排気蓋１４に段押し加工を追加するだけで設けた段押し部１７により五徳受け部を構成することができ、別部材を用いる必要がないため、構成の簡素化を図ることができる。
【００５６】
また、排気口１０と換気口１２の設置領域にコンロバーナ４ｃの一部が配置されるように構成しているため、器具１上面におけるバーナの設置領域を全体的に後方に移動させることができ、天板３の大きさを変えることなく、ガラス天板３の手前側に操作部８や表示部９を配設するスペースを確保することができる。
【００５７】
さらに、排気口１０と換気口１２には、その開口を覆うように着脱自在な排気口カバー１１及び換気口カバー１３をそれぞれ載置しているため、異物の侵入を防止し、グリル部からの排気ガスを均一に排出することができる。
【００５８】
次に、ガラス天板３を下方から支え保持する天板保護部材１８について、図５を用いて詳細に説明すると、本実施の形態において天板保護部材１８はガラス天板３の支持以外にガラス天板３との間に所定の空間を形成し、その空間に空気を流通させることでガラス天
板３の冷却作用を有する構成としている。
【００５９】
そのため、天板保護部材１８に段押し部を設けて天板３との間に空気の通通風路となる間隙を形成して、天板３の裏面でバーナ４ａ、４ｂ、４ｃの装着口である開口３ａ、３ｂ、１５の周囲等に設けた通風路２５、通風路２６と通風路２５と通風路２６を繋ぐ通風路２７及び各通風路２５、通風路２６、通風路２７を繋ぐ通風路２８が構成されている。
【００６０】
これらの通風路２５、通風路２６の一端はケース２１内に設けた送風機２４の送風口２９を臨ませた送風均圧室２１ａを形成するケース２１内に開口し、他端は通風路２７に設けた排出口３０に開口して、送風均圧室を形成するケース２１と排出口３０は通風路２５、通風路２６等で繋がって天板３の裏面に構成されている。冷却用空気は送風機２４の吸い込み口３１から外部の空気を吸い込む構成である。
【００６１】
送風機２４のＯＮ−ＯＦＦは、運転スイッチ７に連動して運転を制御する構成にしてもよいし、天板３が使用時に高温になる部位に測温部（図示せず）を設け、この温度情報を制御部２２で判断して天板３の温度情報でＯＮ−ＯＦＦを制御する構成でもよいし、測温部の代わりに温度スイッチ等で制御する構成にしても目的の制御状態は得られる。
【００６２】
次に上記した器具１の動作、作用について説明すると、運転スイッチ７をＯＮ状態にすると、制御部２２で制御された燃料制御部２３から燃料のガスが供給されてノズル部からバーナヘッド内に供給されて空気とガスが混合した燃料予混合気がバーナ４のバーナヘッドに内に導入され、炎口より噴出すると点火部から電気的な放電が生じて点火エネルギーとなって炎口に燃焼炎４１ａを形成して燃焼を開始する。この状態時にゴトクのゴトク爪上に鍋が載せてあると鍋を加熱することでガスコンロとして機能して使用される。
【００６３】
このように使用開始される時に、バーナ４の炎口に燃焼炎４１ａが形成される状態になると立ち消え安全装置が燃焼炎４１ａにて加熱されて熱起電力が発生するので、この熱起電力の発生をもって燃焼状態であることを器具１内部に設けられた制御部２２で判断して燃焼が正常に維持されている状態が継続される。
【００６４】
このように器具１がガスコンロとして使用される時、運転スイッチ７がＯＮ状態になると同時に送風機２４はＯＮ状態になり、送風機２４がＯＮ状態になると器具１の前面吸い込み口３１から空気を吸い込み送風口２９から送風均圧室２１ａであるケース２１に吸い込んだ空気を排出し、送風均圧室２１ａから、これに通じる通風路２５及び通風路２６に空気が供給される。通風路２５、通風路２６に供給された空気の一部は各通風路内を流れて通風路２７に合流して流れ、その後通風路２８に合流して流れて排出口３０から器具１内に排出される。図５中、実線矢印は空気の流れを示す。
【００６５】
このように器具１のガスコンロが動作すると、天板３の裏面に設けた通風路２５、通風路２６、通風路２７、通風路２８内を送風機２４から供給された空気が流れることで空気は天板３の裏面に沿って流れるからガラス天板３と熱交換しながら流れる。よって、ガラス天板３を冷却する冷却空気を強制的に供給流す状態になるので、各通風路内を冷却空気が流れ空気とガラス天板３間で強制対流による熱伝達現象が生じて熱交換現象が生じる。
【００６６】
従って、バーナ４で加熱されて温度上昇したガラス天板３の熱は、ガラス天板３の通風路２５、通風路２６、通風路２７、通風路２８内に面した表面から熱が冷却空気の対流で奪われるので、ガラス天板３の温度上昇が抑制されて温度低下を実現できるので、ゴトク上に載置した被加熱物の鍋がバーナ４の燃焼熱で加熱された際に被加熱物の鍋からの煮こぼれが生じて煮汁がガラス天板３に落下しても煮汁がガラス天板３に焦げ付くのを防止して使用者が時間をかけて清掃しなければならないような事態を極めて少なくするとともに
、ガラス天板３の温度を低くしているのでガスコンロを使用している際にガラス天板３に手等が接触しても温度が低いので火傷等の心配がない安全性が確保され極めて安全性の高いガスコンロとしての器具１が実現できる。
【００６７】
また、ガラス天板３が平滑なガラスで構成されることで、ガラス天板３に凹凸がなくデザイン性が増すと同時に、邪魔な凹凸或いは、焦げ付き等がないので使用後の掃除が容易にできる。
【００６８】
また、ガラス天板３を構成するガラス材質も温度上昇を抑制して温度が低いので、高温或いは熱衝撃等の温度変化に強く、熱にて変化しにくい高価な結晶化ガラスを使用しなくても熱による影響を回避可能になることで、安価な強化ガラスの使用が可能になり、コストが低減できる。
【００６９】
また、従来のように天板に熱反射材等の別体を設ける必要もなく、また遮蔽壁を設ける必要もなくなるので、器具１の全体コストの低減ができるし、ガラス天板３への彩色が自由に選択できるので、システムキッチン等にガスコンロを組み込場合には、システムキッチンにマッチした色彩の天板を有するガスコンロの選択ができるので、顧客満足度の高い機器が提供できるのである。また、ガラス天板３の温度を低くしたことで、ガラス天板３にタッチ操作部を構成することができる等が可能になるので、ガスコンロの使用時の操作性或いはデザイン性を訴求した商品展開が追及できる。
【００７０】
なお、上記実施の形態においては、ガラス天板３と天板保護部材１８の間の空間にケース２１に設けた送風機２４を用いて強制的に空気を供給する形態について説明したが、送風機を用いることなく自然ドラフト等によりガラス天板３と天板保護部材１８の間の空間に空気を流通させることも可能で、強制送風に比べると冷却効果は劣るが、送風機を設ける必要がなく構成の簡素化が図れる。  
【００７１】
また、通風路２５、２６、２７、２８へ供給される空気はガラス天板３の裏面側を通過する過程でガラス天板３を冷却するとともに、ガラス天板３に設けたバーナ４ａ、４ｂの開口３ａ、３ｂ、排気蓋１４に設けたバーナ４ｃの装着口１５に、通風路２５、２６、通風路２８より一部の空気を供給するように前記通風路に小孔を設けた構成にすることで燃焼用二次空気として利用することもできる。また、燃焼動作に連動して駆動する送風機２４を燃焼量に応じて変化させ、燃焼量が増大するに伴って送風量を増大させることで、効率的な冷却効果を確保することができる。
【産業上の利用可能性】
【００７２】
以上のように、本発明に係る調理器は、ガスを燃料とするバーナを加熱源とする調理器及びガスコンロ関し、天板に被加熱物を載置するためのゴトクを載置して使用するもので、ガスコンロのバーナへの二次空気或いは、天板の裏面に強制的空気を供給するようにして冷却効果等を得る構成を確保したので、調理時にガスの完全燃焼が得られて消費するガス量が少なくて調理できる省エネルギーで、かつ天板の温度が低いので火傷等のない安全なガスコンロを確保しながら調理ができるガスコンロを提供することが可能になるのでガスを燃料とする調理器だけに限定されることなく、電気を使用した調理器等の用途にも応用展開ができる。
【図面の簡単な説明】
【００７３】
【図１】本発明の実施の形態１におけるガス調理器の組込み状態図
【図２】同実施の形態１におけるガス調理器の概略縦断面図
【図３】同実施の形態１におけるガス調理器の概略平面図
【図４】同実施の形態１におけるガス調理器の天板部の分解斜視図
【図５】同実施の形態１におけるガス調理器の天板保護部材部分の平面図
【図６】従来のガスコンロの平面図
【図７】同ガスコンロの部分断面図
【符号の説明】
【００７４】
１  器具
３  ガラス天板
４  バーナ
５  グリル部
８  操作部
９  表示部
１０  排気口
１２  換気口
１４  排気蓋
１８  天板保護部材
１９  金属枠体
２１  収納ケース
２２  制御部
２３  ガス供給部（ガス流量制御装置）
２５、２６、２７、２８  通風路
【図１】
2008089229.tif 000003
【図２】
2008089229.tif 000004
【図３】
2008089229.tif 000005
【図４】
2008089229.tif 000006
【図５】
2008089229.tif 000007
【図６】
2008089229.tif 000008
【図７】
2008089229.tif 000009